(57)【要約】【課題】  映像データを高速サーチしたとき、サーチポイントを選択して、ここから再生すると、所望の映像よりも進んだ映像から表示され、所望の映像が見られないといったことをなくす。【解決手段】  高速再生した通常の映像と、これとは時間差のある映像を作成する。画面を２分割して、一方の画面に高速再生された通常の映像を表示する。他方の画面に時間差のある映像を表示する。通常の映像を表示している画面から所望の映像に相当するサーチポイントを選定する。高速再生を停止して、画面分割を解除する。時間差のある映像のみを表示する。サーチポイントよりも遅れた位置からの映像が表示され、所望の映像も表示される。【選択図】  図２
2005086355.tif 000002
【特許請求の範囲】
【請求項１】
記録媒体に記録された第１のデータを再生する通常再生手段と、前記第１のデータとは時間差のある第２のデータを再生する時間差再生手段と、再生された前記第１のデータを出力機器に出力する出力手段と、出力された第１のデータから目的のデータを選択するサーチ手段と、選択された時点において再生されている前記第２のデータを出力機器に出力するサーチ結果出力手段とを備えたことを特徴とする再生装置。
【請求項２】
記録媒体に記録された第１の映像データを再生する通常再生手段と、前記第１の映像データとは時間差のある第２の映像データを再生する時間差再生手段と、前記第１の映像データおよび第２の映像データを１画面上に表示する表示手段と、前記第１の映像データから目的の映像データを選択するサーチ手段と、選択された時点において再生されている前記第２の映像データのみを表示するサーチ映像表示手段とを備えたことを特徴とする再生装置。
【請求項３】
時間差再生手段は、記録媒体から出力された第１の映像データを遅延させて第２の映像データを作成することを特徴とする請求項２記載の再生装置。
【発明の詳細な説明】
【技術分野】
【０００１】
本発明は、記録媒体に記録された映像データ等の記録データの早送り再生、早戻し再生等の特殊な再生を行える再生装置に関する。
【背景技術】
【０００２】
映像データをハードディスク、ＤＶＤ等のランダムアクセス可能な記録媒体に記録した再生装置では、見たい映像をすばやくサーチするために、早送り再生、早戻し再生の機能を有している。このような再生を実行すると、映像データが高速で再生される。ユーザは、その映像を見ながら、所望の映像が表示されたときに高速再生を止める。すると、その場面から再生が開始され、所望の映像を見ることができる。
【０００３】
このとき、止めるタイミングが遅いと、映像は進んでしまい、所望の映像を見るために、少しだけ早送りあるいは早戻しを行うといった操作が必要となる。
【０００４】
そこで、高速再生時の視認性を向上させて、所望のサーチポイントを通り過ぎてしまわないようにするために、特許文献１では、高速再生時に表示させる映像データを縮小処理し、縮小画像がそれぞれ分割画像として画面上の各表示領域に順番に表示される。
【特許文献１】特開平８−７０４３０号公報（段落０００９）
【発明の開示】
【発明が解決しようとする課題】
【０００５】
上記のように、画面上に高速再生された映像を順番に表示することにより、１つの縮小画像の表示期間が長くなり、見落としがなくなる。しかし、分割画像の数が多いと、画面から視線をそらした場合、最新の映像がわからなくなり、所望の映像を見落としてしまうおそれがある。また、サーチポイントに達したとき、高速再生を停止させて、通常の再生を行っても、少し進んだ映像から再生が始まってしまう。そのため、少しだけ早送りあるいは早戻しの操作は依然として必要になる。
【０００６】
本発明は、上記に鑑み、サーチしたときに所望の映像を表示するまでの操作を少なくするとともに、確実に所望の映像を表示できる再生装置の提供を目的とする。
【課題を解決するための手段】
【０００７】
本発明は、記録媒体に記録された第１のデータを再生する通常再生手段と、前記第１のデータとは時間差のある第２のデータを再生する時間差再生手段と、再生された前記第１のデータを出力機器に出力する出力手段と、出力された第１のデータから目的のデータを選択するサーチ手段と、選択された時点において再生されている前記第２のデータを出力機器に出力するサーチ結果出力手段とを備えたものである。
【０００８】
２つの時間差のあるデータが再生され、出力された一方のデータに基づいてサーチを行う。このとき、他方のデータは再生されているが、出力はされない。所望のデータを選択すると、そのサーチ結果は、時間差のある他方のデータを出力することによって行われる。ここでの出力は、映像を画面に表示したり、音声を出すことであり、どちらか一方あるいは両方のデータを出力する。このように、サーチ後に時間差のあるデータを出力するので、選択するタイミングが遅れても、時間差分だけデータが出力されれば、目的のデータが出力される。したがって、所望のデータを確実に出力でき、しかも再度所望のデータをサーチするための操作が不要となる。
【０００９】
特に、データが映像データである場合、記録媒体に記録された第１の映像データを再生する通常再生手段と、前記第１の映像データとは時間差のある第２の映像データを再生する時間差再生手段と、前記第１の映像データおよび第２の映像データを１画面上に表示する表示手段と、前記第１の映像データから目的の映像データを選択するサーチ手段と、選択された時点において再生されている前記第２の映像データのみを表示するサーチ映像表示手段とを備える。そして、時間差再生手段は、記録媒体から出力された第１の映像データを遅延させて第２の映像データを作成する。
【００１０】
画面を分割して、一方をサーチ用の通常の映像の画面、他方を時間差のある映像の画面として、それぞれ表示する。そして、サーチ用の画面を見て、目的の映像を選択したとき、サーチ用の画面を消し、他方の画面だけにする。選択された時点から時間差のある映像が表示されるので、選択した時点で目的の映像をより進んだ映像が選択されても、遅れた映像から表示できる。その結果、所望の映像を必ず映し出せる。
【発明の効果】
【００１１】
本発明によると、通常の映像とこれとは時間差のある映像を再生することにより、サーチ時に目的のサーチポイントを選定したとき、サーチポイントよりも遅れた位置の映像を表示できる。したがって、１回のサーチによってサーチポイントに対応する所望の映像を必ず表示することができ、サーチを何回も繰り返すといった不要な操作をなくすことができる。そして、再生の速度が高速になればなるほど、上記の効果がより顕著となる。
【発明を実施するための最良の形態】
【００１２】
本発明の一実施形態の再生装置を図１に示す。本再生装置は、記録媒体としてランダムアクセス可能なハードディスク１を使用し、ハードディスク１に記録された映像データを再生して出力機器としてのモニタ２に表示するために、デコーダ３と、操作部４と、制御装置５と、表示処理部６とを有する。なお、この再生装置は、記録装置を備えた記録再生装置であってもよく、再生専用であってもよい。
【００１３】
複数の映像データが圧縮されてハードディスク１に記録されており、デコーダ３は、ハードディスク１から読み出された映像データを伸長して、デジタル映像信号として制御装置５に出力する。マイコンからなる制御装置５は、リモコンあるいは本体パネルといった操作部４から入力された通常の再生、早送り、早戻し等の再生条件に応じて、デコーダ３から入力されたデジタル映像信号をアナログ映像信号に変換して、表示処理部６に出力する。表示処理部６は、アナログ映像信号に所定の画像処理を行って、モニタ２に出力し、モニタ２は、映像を表示する。
【００１４】
そして、再生装置では、ハードディスク１に記録された第１の映像データを再生する通常再生手段と、第１の映像データとは時間差のある第２の映像データを再生する時間差再生手段と、第１の映像データおよび第２の映像データをモニタ２に出力して、１画面上に表示する表示手段と、第１の映像データから目的の映像データを選択するサーチ手段と、選択された時点において再生されている第２の映像データのみを表示するサーチ映像表示手段とを備えている。すなわち、早送り再生あるいは早戻し再生をしながら目的の映像を探す高速サーチ時に、高速再生された通常の映像およびこの映像とは時間差のある映像をモニタ２に出力して、２画面を表示するような制御を行う。そして、表示されている通常の映像中から目的の映像を選択すると、そのタイミングに合わせて時間差のある映像のみをモニタ２上に表示する。
【００１５】
そこで、デコーダ３から出力されるデジタル映像信号を一時蓄積するためのメモリ７が設けられる。デコーダ３は、高速サーチ時にハードディスク１から読み取ったデジタル映像信号を分配して制御装置５とメモリ７に送信する。すなわち、デコーダ３から直接制御装置５に出力される第１のデジタル映像信号とデコーダ３からメモリ７を経由して制御装置５に出力される第２のデジタル映像信号とには時間差が生じるので、デコーダ３とメモリ７とによって、時間差のある２つの映像データを作成できる。このように、メモリ７を使用すれば、簡単かつ低コストで時間差のある映像データを作成できる。なお、通常の再生を行うときには、デジタル映像信号をメモリ７には送信せず、直接制御装置５に送信する。あるいは、メモリ７を経たデジタル映像信号を受信しても、破棄する。
【００１６】
そして、制御装置５は、抽出部１０と、設定部１１と、画面分割部１２と、表示制御部１３と、制御部１４とを有する。抽出部１０は、デコーダ３から直接送信された第１のデジタル映像信号とメモリ７を経由して送信された第２のデジタル映像信号を受信して、各デジタル映像信号をＡ，Ｂ領域にそれぞれ蓄積し、所定のタイミングで各デジタル映像信号を出力したり、一方のデジタル映像信号だけを出力する。設定部１１は、操作部４からの入力に基づいて画面分割の有無および２つの映像における時間差の設定時間を決める。画面分割部１２は、２つの映像の画面での表示位置である画面分割形態を決定する。表示制御部１３は、設定された分割画面と各デジタル映像信号とを関連付けて、２つの映像が表示されるように制御する。制御部１３は、操作部４からの入力に基づいて高速サーチに対する各部の制御を行う。
【００１７】
したがって、通常再生手段は、デコーダ３、抽出部１０によって構成される。時間差再生手段は、デコーダ３、メモリ７、抽出部１０によって構成される。表示手段は、設定部１１、画面分割部１２、表示制御部１３、表示処理部６によって構成される。サーチ手段は、操作部４によって構成される。サーチ映像表示手段は、抽出部１０、画面分割部１２、表示制御部１３、表示処理部６によって構成される。
【００１８】
次に、高速サーチを行うときの手順を図２に基づいて説明する。映像データを再生中に、所望の映像を探したいとき、高速サーチを実行する。まず、高速サーチにおける画面分割の有無および時間差の設定時間の設定を行う。メインメニュー画面から高速サーチを選択すると、図３に示す設定画面が表示される。そして、画面を分割するか決め、設定時間を入力する。ここでは、画面分割を選択し、時間差を５秒に設定する。この時間は、映像データを再生したときのカウンタ値を表しており、実際の再生時間とは異なる。すなわち、通常の再生をしたときのカウンタ値で５秒に相当する時間となる。なお、この設定は、高速サーチ前に予めしておくか、あるいは開始前に行う。
【００１９】
開始キーあるいは早送りキー、早戻しキーの操作によって、高速サーチが開始される。ハードディスク１から記録データが読み出され、デコーダ３により、第１のデジタル映像信号が直接抽出部１０に送信されるとともに、メモリ７を通じて時間差のある第２のデジタル映像信号が抽出部１０に送信される。
【００２０】
抽出部１０では、第１のデジタル映像信号をＢ領域に蓄積し、第２のデジタル映像信号をＡ領域に蓄積する。制御部１４の命令により、抽出部１０は各デジタル映像信号を抽出して、交互に表示制御部１３を通じて表示処理部６に出力する。モニタ２の画面に２つの映像が同時に表示される。例えば、２等分した分割画面に設定されている場合は、図４に示すように、サーチ画面となるＢ画面には、通常の高速再生された映像が表示され、Ａ画面には、時間差（５秒）のある高速再生された映像が表示される。また、分割画面は、図５に示すようなピクチャーインピクチャー画面であってもよい。
【００２１】
ユーザは、Ｂ画面を見ながら、所望のサーチポイントを探す。操作部４の再生キーが操作されることにより、サーチポイントが選定され、自動的に画面分割が解除される。Ｂ画面の表示が消え、Ａ画面のみが表示される。Ａ画面には、サーチポイントが選定された時点の映像から設定時間だけ時間差のある第２の映像データが表示され、ここから通常の１倍速の再生が開始される。
【００２２】
ここで、早送り再生のときには、Ｂ画面に第１のデジタル映像信号による第１の映像が表示され、Ａ画面に第２のデジタル映像信号による第１の映像が表示される。早戻し再生のときには、Ｂ画面に第２のデジタル映像信号による第２の映像が表示され、Ａ画面に第１のデジタル映像信号による第１の映像が表示される。すなわち、Ａ画面には、設定時間だけ遅れた映像が表示される。ただし、早戻し再生の場合、再生方向から見れば、設定時間だけ進んだ映像となる。これによって、通常の再生をしたとき、設定時間だけ遅れた映像から再生が開始される。
【００２３】
上記では、画面分割をするように設定したが、画面分割しないように設定してもよい。この場合、抽出部１０から２つのデジタル映像信号は出力されるが、表示制御部１３からは一方のデジタル映像信号が出力されるように制御される。モニタ２には、通常の高速再生された映像が１画面で表示される。そして、サーチポイントが選定されたとき、表示制御部１３から出力されるデジタル映像信号が切り替えられ、時間差のある映像が表示される。
【００２４】
以上のように、高速再生される画面を見ながら目的とするサーチポイントを見つけたとき、高速再生を停止して、通常の再生を開始したとき、停止したときの映像よりも設定時間だけ遅れた映像から再生される。したがって、所望の映像が必ず再生され、見逃すことがなくなる。
【００２５】
なお、本発明は、上記実施形態に限定されるものではなく、本発明の範囲内で上記実施形態に多くの修正および変更を加え得ることは勿論である。記録媒体は、ハードディスクに限らず、ランダムアクセス可能なＤＶＤ、ＣＤ、半導体メモリとしてもよい。また、ビデオテープでもよい。この場合、デコーダは不要となり、ビデオテープから読み出された映像データは、分配されて、直接抽出部に出力されるとともに、メモリを通じて抽出部に出力される。あるいは、分配せずに直接抽出部に出力して、抽出部において２つの映像データを作成してもよい。
【００２６】
そして、記録媒体に記録するデータは、映像データに限らず、音声データ、静止画データであってもよい。音声データの場合、出力機器はスピーカとなり、２つのデータを同時に異なるスピーカから出力してもよいが、１つのデータのみを出力するのが高速サーチする上で好ましい。
【００２７】
時間差のある２つの映像データを作成する手段として、ハードディスク、ＤＶＤ、ＣＤのランダムアクセス可能な記録媒体において、２つの再生ヘッドからそれぞれ映像データを読み出し、デコーダを通じて抽出部に出力する。これによって、時間差のある２つの映像データが得られる。また、他の手段として、映像データがＭＰＥＧ方式で符号化されている場合、映像データを構成するＩピクチャー、Ｐピクチャー、Ｂピクチャーのうち、静止画像データであるIピクチャーを利用する。記録媒体から異なるＩピクチャーを読み出して、それぞれを画面に表示することによっても２つの映像を表示できる。
【図面の簡単な説明】
【００２８】
【図１】本発明の一実施形態の再生装置の概略ブロック図
【図２】高速サーチのフローチャート
【図３】画面分割の設定画面を示す図
【図４】分割画面の一例を示す図
【図５】他の分割画面の一例を示す図
【符号の説明】
【００２９】
１    ハードディスク
２    モニタ
３    デコーダ
４    操作部
５    制御装置
６    表示処理部
７    メモリ
１０    抽出部
１１    設定部
１２    画面分割部
１３    表示制御部
【図１】
2005086355.tif 000003
【図２】
2005086355.tif 000004
【図３】
2005086355.tif 000005
【図４】
2005086355.tif 000006
【図５】
2005086355.tif 000007